(57)【要約】【課題】給紙時に給紙押えとカール押えとを行なえ、ジャムを発生させることがないスムーズな給紙を可能にするとともに、給紙トレイへの転写紙のスムーズなセットを可能にする転写紙押え機構の提供を目的としている。【解決手段】本発明は、転写紙が載置される底板と転写紙の側辺に沿って配置されるサイドフェンスとを備えた給紙装置に設けられ、前記サイドフェンスに設けられた所定の回動支点Ｑを中心に回動可能で且つ前記底板上に載置された転写紙を上部から押える転写紙押え機構において、前記サイドフェンスに回動可能に取り付けられる支持部２と、前記底板上に載置された転写紙の上面に押し当てられる押圧部１とを有し、押圧部１は、前記底板に向かって下側に回動可能に支持部２に取り付けられていることを特徴とする。【選択図】    図２
2004250112.tif 000002
【特許請求の範囲】
【請求項１】
転写紙が載置される底板と転写紙の側辺に沿って配置されるサイドフェンスとを備えた給紙装置に設けられ、前記サイドフェンスに設けられた所定の回動支点を中心に回動可能で且つ前記底板上に載置された転写紙を上部から押える転写紙押え機構において、
前記サイドフェンスに回動可能に取り付けられる支持部と、前記底板上に載置された転写紙の上面に押し当てられる押圧部とを有し、
前記押圧部は、前記底板に向かって下側に回動可能に前記支持部に取り付けられていることを特徴とする転写紙押え機構。
【請求項２】
前記押圧部を前記底板から離間させるように上側に付勢する付勢手段を更に備え、
前記支持部には、前記付勢手段の付勢力に抗して前記押圧部に上側から当て付くストッパ部が設けられていることを特徴とする請求項１に記載の転写紙押え機構。
【請求項３】
前記付勢手段は、前記押圧部に当て付いてこの押圧部に付勢力を作用させる作用部を有し、
前記押圧部には、前記作用部が転写紙に接触しないように前記作用部を収容する凹部が形成されていることを特徴とする請求項２に記載の転写紙押え機構。
【発明の詳細な説明】
【０００１】
【発明の属する技術分野】
本発明は、複写機、プリンタ、ファクシミリ等の画像形成装置に適用できる給紙装置の転写紙押え機構に関する。
【０００２】
【従来の技術】
一般に、複写機、プリンタ、ファクシミリ等の画像形成装置に設けられる給紙装置は、画像が転写される転写紙を積載収容する給紙トレイを有している。また、一般に、給紙トレイ内には、転写紙が載置される底板と、転写紙の両側の側辺に沿って配置されるサイドフェンスと、転写紙の上面からの押えを行なう転写紙押え部材とが設けられている。
【０００３】
このような給紙装置にあっては、転写紙の積載量に係わりなく、給紙時に確実に給紙押えとカール押えとが行なえ、ジャムを発生させることなくスムーズに給紙を行なえることが重要である。そのため、従来から、転写紙を有効に押えるための様々な転写紙押え機構が提案されている。その一例としては、例えば所定の回動支点を中心に回動可能な転写紙押え部材に、転写紙を押えるための互いに角度の異なる複数の押え面を有する押圧部を設け、底板の傾斜角度に応じてその傾斜する底板の面と常に平行な状態となるように押圧部の各押え面の傾斜角度を設定することにより、給紙時に確実な給紙押えとカール押えとを行なえるようにしている（特許文献１参照）。
【０００４】
【特許文献１】
特開平７−２１５５０８号公報
【０００５】
【発明が解決しようとする課題】
特許文献１に開示された技術によれば、底板の傾斜角度が変化しても、底板の面と押圧部の複数の押え面のうちの１つの面とが常に平行な状態に保たれ、その平行な状態にある押え面によって転写紙面を押え付けることができるため、転写紙の積載量が増減して底板の傾斜角度が変わっても、給紙中に転写紙の給紙ズレが生じない。したがって、転写紙のカール押えを確実に成すことができ、給紙時におけるジャムの発生を防止することが可能となる。
【０００６】
しかしながら、この特許文献１の技術では、前記押圧部が転写紙の上側でこれを横切るように延びた状態で固設されているため、転写紙を給紙トレイ内に補給する際に、転写紙を押える前記押圧部に転写紙が当たって、転写紙のセットがしずらいという不具合がある。
【０００７】
本発明は前記事情に着目してなされたものであり、その目的とするところは、給紙時に給紙押えとカール押えとを行なえ、ジャムを発生させることがないスムーズな給紙を可能にするとともに、給紙トレイへの転写紙のスムーズなセットを可能にする転写紙押え機構を提供することにある。
【０００８】
【課題を解決するための手段】
前記課題を解決するために、請求項１に記載された発明は、転写紙が載置される底板と転写紙の側辺に沿って配置されるサイドフェンスとを備えた給紙装置に設けられ、前記サイドフェンスに設けられた所定の回動支点を中心に回動可能で且つ前記底板上に載置された転写紙を上部から押える転写紙押え機構において、前記サイドフェンスに回動可能に取り付けられる支持部と、前記底板上に載置された転写紙の上面に押し当てられる押圧部とを有し、前記押圧部は、前記底板に向かって下側に回動可能に前記支持部に取り付けられていることを特徴とする。
【０００９】
この請求項１に記載された発明によれば、前記サイドフェンスに回動可能に取り付けられる支持部と、前記底板上に載置された転写紙の上面に押し当てられる押圧部とが設けられているため、給紙時に給紙押えとカール押えとを行なえ、ジャムを発生させることがないスムーズな給紙を行なうことができる。また、前記押圧部が前記底板に向かって下側に回動できるため、前記押圧部の上方から底板上に転写紙を補給する際、補給される転写紙の重みによって前記押圧部が前記底板に向かって下側に回動する。そのため、前記押圧部によって転写紙の補給が妨げられることがなく、底板上に転写紙をスムーズにセットすることができる。
【００１０】
また、請求項２に記載された発明は、請求項１に記載された発明において、前記押圧部を前記底板から離間させるように上側に付勢する付勢手段を更に備え、前記支持部には、前記付勢手段の付勢力に抗して前記押圧部に上側から当て付くストッパ部が設けられていることを特徴とする。
【００１１】
この請求項２に記載された発明によれば、請求項１に記載された発明と同様の作用効果が得られるとともに、前記押圧部を前記底板から離間させるように上側に付勢する付勢手段が設けられているため、前記押圧部の上方から底板上に転写紙を補給する際に転写紙の重みによって前記押圧部が前記底板に向かって下側に回動しても、転写紙が前記押圧部を乗り超えて前記底板上に完全に載置された後は、前記付勢手段によって前記押圧部が自動的に上側に回動して戻ることができる。また、前記付勢手段の付勢力に抗して前記押圧部に上側から当て付くストッパ部が前記支持部に設けられているため、上側に回動して戻る前記押圧部は、前記ストッパ部に当接することにより、前記底板上に載置された転写紙の上面に押し当たる元の待機状態の位置で停止し、その位置を保持することができる。
【００１２】
また、請求項３に記載された発明は、請求項２に記載された発明において、前記付勢手段は、前記押圧部に当て付いてこの押圧部に付勢力を作用させる作用部を有し、前記押圧部には、前記作用部が転写紙に接触しないように前記作用部を収容する凹部が形成されていることを特徴とする。
【００１３】
この請求項３に記載された発明によれば、請求項２に記載された発明と同様の作用効果が得られるとともに、前記作用部が転写紙に接触しないように前記作用部を収容する凹部が前記押圧部に形成されているため、前記作用部が前記凹部に入り込むことで、前記押圧部による転写紙の押圧時における前記作用部と転写紙との接触が防止され、通紙面の凹凸が軽減されて、転写紙のジャムの発生を防止できる。
【００１４】
【発明の実施の形態】
以下、図面を参照しつつ本発明の実施形態について説明する。
【００１５】
図１には、本発明の一実施形態に係る転写紙押え機構が設けられた給紙装置の要部が示されており、また、図６には、前記転写紙押え機構が設けられた前記給紙装置の給紙トレイ７が示されている。これらの図に示されるように、給紙トレイ７の底面上には、中央部に切り欠きが形成され且つ転写紙６の側辺に沿って配置されるサイドフェンス５が両側に設けられている。このサイドフェンス５の間には、一端に回動支点Ｐを有し且つ転写紙６が載置される底板８が配置されている。この底板８は、サイドフェンス５の前記切り欠きを介して回動支点Ｐにてトレイ側板（図示せず）に回動自在に取り付けられている。
【００１６】
また、サイドフェンス５には、前記転写紙押え機構が回動支点Ｑを中心に回動自在に取り付けられている。前記転写紙押え機構は、底板８上に載置された転写紙６を上部から押えるためのものであり、具体的には、回動支点Ｑを中心に回動可能にサイドフェンス５に取り付けられた押え爪支持部（支持部）２と、底板８上に載置された転写紙６の上面に押し当てられる押え爪（押圧部）１とを有している。この場合、押え爪１は、ヒンジ機構Ｔを介して押え爪支持部２に取り付けられており、底板８に向かって下側に回動できる。
【００１７】
ヒンジ機構Ｔは、押え爪１からフック状に延びる例えば一対のヒンジ部１ａ（図４の（ｂ）参照）と、押え爪支持部２からフック状に延びる例えば一対のヒンジ部２ａ（図４の（ｂ）参照）とをヒンジピン４を介して連結する（図２（ｃ）および図３（ｃ）参照）ことにより構成されている。
【００１８】
また、ヒンジ機構Ｔは、押え爪１を底板８から離間させるように上側に常時付勢する付勢手段を備えている。この付勢手段は、例えば本実施形態においては、ヒンジピン４に巻装された巻き付けバネ３から成る。巻き付けバネ３は、押え爪１に当て付いてこの押え爪１に付勢力を作用させる作用部を有しており、この作用部は、押え爪１に設けられたビード１ｂによって形成された凹部内に収容され、転写紙６に接触しないようになっている。なお、巻き付けバネ３のバネ力は、転写紙６を給紙トレイ７にセットする際に押え爪１に対して下側に作用する転写紙６の重みにより押え爪１が下側に回動するような適当な値に設定される。
【００１９】
また、押え爪支持部２には、巻き付けバネ３の付勢力に抗して押え爪１に上側から当て付くストッパ２ｂが設けられている。このストッパ２ｂとバネ３とにより、押え爪１は、図２に示される待機位置と、図３に示される下側回動位置との間でのみ回動できる。
【００２０】
以上のように、本実施形態の転写紙押え機構は、サイドフェンス５に回動可能に取り付けられる支持部としての押え爪支持部２と、底板８上に載置された転写紙６の上面に押し当てられる押圧部としての押え爪１とを備えているため、給紙時に給紙押えとカール押えとを行なえ、ジャムを発生させることがないスムーズな給紙を行なうことができる。また、ヒンジ機構Ｔを介して押え爪１が底板８に向かって下側に回動できるため、押え爪１の上方から底板８上に転写紙６を補給する際、補給される転写紙６の重みによって押え爪１が底板８に向かって下側に回動する。そのため、押え爪１によって転写紙６の補給が妨げられることがなく、底板８上に転写紙６をスムーズにセットすることができる。
【００２１】
また、本実施形態の転写紙押え機構には、押え爪１を底板８から離間させるように上側に付勢する付勢手段としての巻き付けバネ３が設けられているため、押え爪１の上方から底板８上に転写紙６を補給する際に転写紙６の重みによって押え爪１が底板８に向かって下側に回動しても、転写紙６が押え爪１を乗り超えて底板８上に完全に載置された後は、巻き付けバネ３によって押え爪１が自動的に上側に回動して戻ることができる。また、巻き付けバネ３の付勢力に抗して押え爪１に上側から当て付くストッパ２ｂが押え爪支持部２に設けられているため、上側に回動して戻る前記押え爪１は、ストッパ２ｂに当接することにより、底板８上に載置された転写紙６の上面に押し当たる元の待機状態の位置で停止し（図２参照）、その位置を保持することができる。
【００２２】
また、本実施形態の転写紙押え機構では、巻き付けバネ３の作用部が転写紙６に接触しないように前記作用部を収容する凹部（ビード１ｂ）が押え爪１に形成されている。そのため、前記作用部が前記凹部に入り込むことで、押え爪１による転写紙６の押圧時における前記作用部と転写紙６との接触が防止され、通紙面の凹凸が軽減されて、転写紙６のジャムの発生を防止できる。
【００２３】
【発明の効果】
請求項１に記載された発明によれば、前記サイドフェンスに回動可能に取り付けられる支持部と、前記底板上に載置された転写紙の上面に押し当てられる押圧部とが設けられているため、給紙時に給紙押えとカール押えとを行なえ、ジャムを発生させることがないスムーズな給紙を行なうことができる。また、前記押圧部が前記底板に向かって下側に回動できるため、前記押圧部の上方から底板上に転写紙を補給する際、補給される転写紙の重みによって前記押圧部が前記底板に向かって下側に回動する。そのため、前記押圧部によって転写紙の補給が妨げられることがなく、底板上に転写紙をスムーズにセットすることができる。
【００２４】
請求項２に記載された発明によれば、請求項１に記載された発明と同様の作用効果が得られるとともに、前記押圧部を前記底板から離間させるように上側に付勢する付勢手段が設けられているため、前記押圧部の上方から底板上に転写紙を補給する際に転写紙の重みによって前記押圧部が前記底板に向かって下側に回動しても、転写紙が前記押圧部を乗り超えて前記底板上に完全に載置された後は、前記付勢手段によって前記押圧部が自動的に上側に回動して戻ることができる。また、前記付勢手段の付勢力に抗して前記押圧部に上側から当て付くストッパ部が前記支持部に設けられているため、上側に回動して戻る前記押圧部は、前記ストッパ部に当接することにより、前記底板上に載置された転写紙の上面に押し当たる元の待機状態の位置で停止し、その位置を保持することができる。
【００２５】
請求項３に記載された発明によれば、請求項２に記載された発明と同様の作用効果が得られるとともに、前記作用部が転写紙に接触しないように前記作用部を収容する凹部が前記押圧部に形成されているため、前記作用部が前記凹部に入り込むことで、前記押圧部による転写紙の押圧時における前記作用部と転写紙との接触が防止され、通紙面の凹凸が軽減されて、転写紙のジャムの発生を防止できる。
【図面の簡単な説明】
【図１】（ａ）は本発明の一実施形態に係る転写紙押え機構が設けられた給紙装置の要部の上面図、（ｂ）は（ａ）の給紙装置の要部の正面図、（ｃ）は（ａ）の給紙装置の要部の側面図である。
【図２】（ａ）は本発明の一実施形態に係る転写紙押え機構の待機位置での上面図、（ｂ）は（ａ）の転写紙押え機構の正面図、（ｃ）は（ａ）の転写紙押え機構の側面図である。
【図３】（ａ）は本発明の一実施形態に係る転写紙押え機構の下側回動位置での上面図、（ｂ）は（ａ）の転写紙押え機構の正面図、（ｃ）は（ａ）の転写紙押え機構の側面図である。
【図４】（ａ）は図３の転写紙押え機構を構成する押圧部の上面図、（ｂ）は（ａ）の押圧部の側面図、（ｃ）は（ａ）の押圧部の正面図、（ｄ）は（ａ）のＡ−Ａ線に沿う断面図である。
【図５】（ａ）は図３の転写紙押え機構を構成する支持部の上面図、（ｂ）は（ａ）の支持部の側面図、（ｃ）は（ａ）の支持部の正面図である。
【図６】本発明の一実施形態に係る転写紙押え機構が設けられた給紙装置の給紙トレイの側面図である。
【符号の説明】
１      押圧部
１ｂ    ビード部（凹部）
２      支持部
２ｂ    ストッパ（ストッパ部）
５      サイドフェンス
６      転写紙
７      給紙トレイ（給紙装置）
８      底板
Ｐ，Ｑ  回動支点
Ｔ      ヒンジ機構
【図１】
2004250112.tif 000003
【図２】
2004250112.tif 000004
【図３】
2004250112.tif 000005
【図４】
2004250112.tif 000006
【図５】
2004250112.tif 000007
【図６】
2004250112.tif 000008